(57)【特許請求の範囲】
【請求項１】
厨芥を収納する生ごみ収納容器と、前記厨芥を加熱する加熱手段と、前記生ごみ収納容器内の空気を前記生ごみ収納容器より排出する排気ファンであるターボファンと、本体内を冷却する冷却ファンであるシロッコファンを備え、前記ターボファンと前記シロッコファンを一体的に形成すると共に、前記シロッコファンの排気とターボファンの排気が略同一方向となるように、前記シロッコファンとターボファンの周囲に仕切り板を設けた生ごみ処理機。
【請求項２】
厨芥を収納する生ごみ収納容器と、前記厨芥を加熱する加熱手段と、前記生ごみ収納容器内の空気を前記生ごみ収納容器より排出する排気ファンであるターボファンと、本体内を冷却する冷却ファンであるシロッコファンを備え、前記ターボファンと前記シロッコファンを一体的に形成すると共に、排気口を有しシロッコファンとターボファンの周囲を覆うケースを設け、シロッコファンの排気とターボファンの排気が前記排気口から排出されるように構成した生ごみ処理機。
【請求項３】
厨芥を収納する生ごみ収納容器と、前記厨芥を加熱する加熱手段と、前記生ごみ収納容器内の空気を前記生ごみ収納容器より排出する排気ファンであるターボファンと、本体内を冷却する冷却ファンであるシロッコファンを備え、前記ターボファンと前記シロッコファンを一体的に形成すると共に、前記ターボファンをシュラウド付きで構成した生ごみ処理機。
【請求項４】
厨芥を収納する生ごみ収納容器と、前記厨芥を加熱する加熱手段と、前記生ごみ収納容器内の空気を前記生ごみ収納容器より排出する排気ファンであるターボファンと、本体内を冷却する冷却ファンであるシロッコファンを備え、前記ターボファンと前記シロッコファンを一体的に形成すると共に、前記シロッコファンとターボファンからの排気が、本体の側面から機外に排出されるように構成した生ごみ処理機。
【発明の詳細な説明】
【０００１】
【発明の属する技術分野】
本発明は台所等で出る生ごみを処理する生ごみ処理機に関するものである。
【０００２】
【従来の技術】
従来の生ごみ処理機を図７を用いて説明すると、１は生ごみ処理機本体、２は生ごみを収納する生ごみ収納容器で、底面に生ごみを撹拌する撹拌羽根３を備えている。この生ごみ収納容器２の上部に生ごみを加熱する加熱手段４が配してある。加熱手段４は乾燥用ヒ−タ５及び、乾燥ファン６から構成され、熱風を生ごみに当てて生ごみの表面を加熱する。なお乾燥ファン６は乾燥モータ７により回転駆動される。
【０００３】
また生ごみ収納容器２の上方に吸気口８が設けられており、この吸気口８は生ごみ収納容器２を介して排気経路９を通じて脱臭装置１０に接続されている。脱臭装置１０は加熱されて臭気を脱臭する触媒１１と、触媒１１を加熱する触媒加熱ヒータ１２と、臭気を触媒１１を介して排出口１３より外部に排出する排気装置１４は、排気ファンであるターボファン１５と排気モータ１６と、本体１内を冷却する冷却ファン１７から構成されている。生ごみ処理機本体１内には制御回路１８、撹拌羽根３を駆動する駆動装置１９を設けてある。
【０００４】
上記従来の生ごみ処理機において、生ごみ処理機本体１を運転させると、加熱手段４による生ごみの加熱と、脱臭装置１０の加熱手段である触媒加熱ヒータ１２が作動し触媒１１が加熱され、排気手段１４も作動し、吸気口８から外気が吸引され、生ごみ収納容器２内の臭気を含む空気を脱臭装置１０で脱臭し、排出口１３より外部に排気する。
【０００５】
【発明が解決しようとする課題】
排気装置は、生ごみ処理機内部より蒸気を吸引するターボファン１５と、本体１内を冷却するための冷却ファン１７と排気モータ１６を備えており、図７のように排気モータ１６の出力軸の両端にそれぞれのファンを設けていたので、排気装置１４が大きくなるという課題があった。
【０００６】
本発明は上記課題を解決するもので、生ごみ処理機の排気装置の小型化と排気排出の効率化を行い、生ごみ処理機本体の小型化を実現することを目的とするものである。
【０００７】
【課題を解決するための手段】
上記の目的を達成するために、厨芥を収納する生ごみ収納容器と、前記厨芥を加熱する加熱手段と、前記生ごみ収納容器内の空気を前記生ごみ収納容器より排出する排気ファンであるターボファンと、本体内を冷却する冷却ファンであるシロッコファンを備え、前記ターボファンと前記シロッコファンを一体的に形成すると共に、前記シロッコファンの排気とターボファンの排気が略同一方向となるように、前記シロッコファンとターボファンの周囲に仕切り板を設けた生ごみ処理機としたもので、排気ファンと冷却ファンのスペースを縮小したコンパクトな生ごみ処理機を提供できる。また、吸気と排気が確実に分断され、排気の効率が良くなるため、冷却ファンを小型化できコンパクトな生ごみ処理機を提供できる。
【０００８】
【発明の実施の形態】
請求項１に記載の発明によれば、厨芥を収納する生ごみ収納容器と、前記厨芥を加熱する加熱手段と、前記生ごみ収納容器内の空気を前記生ごみ収納容器より排出する排気ファンであるターボファンと、本体内を冷却する冷却ファンであるシロッコファンを備え、前記ターボファンと前記シロッコファンを一体的に形成すると共に、前記シロッコファンの排気とターボファンの排気が略同一方向となるように、前記シロッコファンとターボファンの周囲に仕切り板を設けたもので、排気ファンと冷却ファンのスペースを縮小したコンパクトな生ごみ処理機を提供できる。また、冷却ファンの吸気と排気を分離する仕切り板を周囲に設けたので、吸気と排気が確実に分断され、排気の効率が良くなるため、冷却ファンを小型化（径小化または、羽根高さ低化）できコンパクトな生ごみ処理機を提供できる。
【０００９】
請求項２に記載の発明によれば、厨芥を収納する生ごみ収納容器と、前記厨芥を加熱する加熱手段と、前記生ごみ収納容器内の空気を前記生ごみ収納容器より排出する排気ファンであるターボファンと、本体内を冷却する冷却ファンであるシロッコファンを備え、前記ターボファンと前記シロッコファンを一体的に形成すると共に、排気口を有しシロッコファンとターボファンの周囲を覆うケースを設け、シロッコファンの排気とターボファンの排気が前記排気口から排出されるように構成したもので、排気ファンと冷却ファンのスペースを縮小したコンパクトな生ごみ処理機を提供できる。また、より確実に吸気と排気を確実に分断し、排気の効率を良くするため、各ファンを小型化（径小化または、羽根高さ低化）できコンパクトな生ごみ処理機を提供できる。また、ケースの排気側開口部を限定することで、排気の方向を特定することもできる。
【００１０】
請求項３に記載の発明によれば、厨芥を収納する生ごみ収納容器と、前記厨芥を加熱する加熱手段と、前記生ごみ収納容器内の空気を前記生ごみ収納容器より排出する排気ファンであるターボファンと、本体内を冷却する冷却ファンであるシロッコファンを備え、前記ターボファンと前記シロッコファンを一体的に形成すると共に、前記ターボファンをシュラウド付きで構成したもので、排気ファンと冷却ファンのスペースを縮小したコンパクトな生ごみ処理機を提供できる。また、排気ファンの能力が向上し、排気ファンをより小型化（径小化または、羽根高さ低化）できコンパクトな生ごみ処理機を提供できる。
【００１１】
請求項４に記載の発明によれば、厨芥を収納する生ごみ収納容器と、前記厨芥を加熱する加熱手段と、前記生ごみ収納容器内の空気を前記生ごみ収納容器より排出する排気ファンであるターボファンと、本体内を冷却する冷却ファンであるシロッコファンを備え、前記ターボファンと前記シロッコファンを一体的に形成すると共に、前記シロッコファンとターボファンからの排気が、本体の側面から機外に排出されるように構成したもので、排気ファンと冷却ファンのスペースを縮小したコンパクトな生ごみ処理機を提供できる。また、排気風の直線上に排気口を設けることができ、排気圧損を著しく低くし、排気性能を向上させた生ごみ処理機を提供できる。
【００１２】
【実施例】
（実施例１）
以下、本発明の第１の実施例について図１をもとに説明する。図１において、１は生ごみ処理機本体、２は生ごみを収納する生ごみ収納容器で、底面に生ごみを撹拌する撹拌羽根３を備えている。この生ごみ収納容器２の上部に生ごみを加熱する加熱手段４が配してある。加熱手段４は乾燥用ヒ−タ５及び、乾燥ファン６から構成され、熱風を生ごみに当てて生ごみの表面を加熱する。なお乾燥ファン６は乾燥モータ７により回転駆動される。
【００１３】
また生ごみ収納容器２の上方に吸気口８が設けられており、この吸気口８は生ごみ収納容器２を介して排気経路９を通じて脱臭装置１０に接続されている。脱臭装置１０は加熱されて臭気を脱臭する触媒１１と、触媒１１を加熱する触媒加熱ヒータ１２と、臭気を触媒１１を介して排出口１３より外部に排出する排気装置１４は、排気ファンであるターボファン１５と排気モータ１６から構成されている。生ごみ処理機本体１内には制御回路１８、撹拌羽根３を駆動する駆動装置１９を設けてある。２５は生ごみ収納容器２と吸気口８、排気経路９、脱臭装置１０を介して連通しているファンガイドで、ターボファン１５は、ファンガイド２５を近接させることによって、ターボファン１５の吸引圧と吸引風量を発生させる。ターボファン１５の片面には本体を冷却するための、冷却ファンであるシロッコファン２６を形成している。
【００１４】
上記構成において動作を説明すると、乾燥ヒータ５で加熱された空気が乾燥ファン６によって生ごみ収納容器２内に送り出され、生ゴミを加熱する。加熱された生ゴミより発生した蒸気は、排気手段１４であるターボファン１５によって吸引されることにより、排気経路９を介して脱臭装置１０に至る。同時に吸気口８より外気が生ごみ収納容器２内に流入する。そして脱臭装置１０の加熱手段である触媒加熱ヒータ１２が作動し触媒１１が加熱され、生ごみ収納容器２内の臭気を含む空気を脱臭された後、冷却用のシロッコファン２６によって室温程度の温度まで冷却されて排出口１３より外部に排出される。同時に生ゴミは、回転する撹拌刃３により、撹拌・粉砕されながら乾燥され、乾燥終了後は、減量・細分化される。
【００１５】
ここでシロッコファン２６とターボファン１５を一体化することによって、排気装置１４を小型化することができる。
【００１６】
詳細について、以下説明する。ターボファン１５をシュラウド２７付で構成し、シュラウド２７の表面にシロッコファン２６を設けた。また、ターボファン１５とシロッコファン２６の吸気側の方向が同じになるので、ファンガイド２５のターボファン１５の吸気部を略Ｌ字型で形成し、シロッコファン２６の吸気部とを仕切っている。また、シロッコファン２６の吸気と排気を分離する仕切り板２８をシロッコファン２６前方に設けている。このとき、ターボファン１５は圧力を発生させ、生ごみ収納容器２よりの蒸気を吸引し、シロッコファン２６は比較的圧力は弱いものの風量が大きく、本体を冷却すると同時に、ターボファン１５より排気される蒸気を冷却風と混合させ温度低減して外部に排気している。ゆえにターボファン１５の吸気とシロッコファン２６の吸気が短絡すると、ターボファン１５の圧力が低下するので、蒸気を十分吸引できず結果的に生ごみ収納容器２内の蒸気を充満させ、蓋等から蒸気漏れが発生する。よって、各ファンが本来の経路で吸・排気を行えるようにファンガイド２５のターボファン１５吸気部を略への字型で形成し、シロッコファン２６の吸気部とを仕切っている。シロッコファン２６も仕切り板２８で吸気と排気を分離しているので、一旦排気した空気が再び吸気にまわることも無いので、常に新しい空気で効率よく冷却している。
【００１７】
また、ターボファン１５とシロッコファン２６の吸気方向が同じなので、排気装置スペースを効率化でき、よりコンパクトな本体を提供できる。
【００１８】
（実施例２）
以下、本発明の第２の実施例について図２、図３をもとに説明する。なお上記実施例と同一構成部品については同一符号を付して説明を省略する。２９はターボファン１５とシロッコファン２６の周囲に設けたケースで、一部に排気口２９ａが設けてあり、排気を一方向に集中させている。また、ターボファン１５の吸気部を略Ｌ字型で形成し、ケース２９に連通させていることで、ターボファン１５の吸気とシロッコファン２６の吸気が短絡して、ターボファン１５の圧力が低下し、蒸気を十分吸引できず結果的に生ごみ収納容器２内の蒸気を充満させ、蓋等から蒸気漏れが発生するのを防止している。
【００１９】
よって、ターボファン１５、シロッコファン２６共に、排気性能を向上できるので、各ファンとも小型化（径小化または、羽根高さ低化）できコンパクトな生ごみ処理機を提供できる。また、ケース２９外形形状をインボリュート曲線で構成してある。
【００２０】
よって、ターボファン１５、シロッコファン２６共に、排気性能を向上できるので、各ファンとも小型化（径小化または、羽根高さ低化）できコンパクトな生ごみ処理機を提供できる。
【００２１】
（実施例３）
本発明の第３の実施例について図４をもとに説明する。なお上記実施例と同一構成部品については同一符号を付して説明を省略する。ターボファン１５とシロッコファン２６の回転軸を略鉛直方向に設け、前記回転軸方向で、ターボファン１５とシロッコファン２６の略下方に、排気を生ごみ処理機本体１の排出口１３を設けることによって、排気風の略直線上に排出口１３が配置されることとなり、排気圧損を著しく低減させた排気効率の良い生ごみ処理機を提供できる。
【００２２】
（実施例４）
本発明の第４の実施例について図５をもとに説明する。なお上記実施例と同一構成部品については同一符号を付して説明を省略する。図５において、ターボファン１５とシロッコファン２６の回転軸を鉛直方向に対して傾斜させ、前記回転軸方向に略垂直に、前記ターボファン１５とシロッコファン２６の略下方に、排出口１３を設けることによって、排気風が直角に排出口１３に当たるのを防ぎ、排気圧損を低減する。よって、排気効率の良い生ごみ処理機を提供できる。
【００２３】
（実施例５）
本発明の第５の実施例について図１と図６をもとに説明する。なお上記実施例と同一構成部品については同一符号を付して説明を省略する。１３ａは本体後部の側面に設けた排気口である。ターボファン１５とシロッコファン２６により発生した風は回転軸と垂直面に流れるので、排出口１３ａを本体後部の側面に設けた方が排気風の直線上に排出口１３が配置されることとなり、排気圧損を著しく低減させ排気しやすい。よって、排出口１３を本体１後部と本体１後部側面の両方に設けると、更に排気効率の向上した生ごみ処理機を提供できる。
【００２４】
なお、本実施例では、シュラウド付の排気ファンを用いているが、シュラウドのない排気ファンを用いてもスペースを縮小したコンパクトな生ごみ処理機を提供できることは言うまでもない。
【００２５】
【発明の効果】
本発明によれば、生ごみ処理機の排気装置の小型化と排気排出の効率化を行い、生ごみ処理機本体の小型化を実現できる。
【図面の簡単な説明】
【図１】  本発明第１の実施例の生ごみ処理機断面図
【図２】  本発明第２の実施例の排気装置断面図
【図３】  同排気装置斜視図
【図４】  本発明第３の実施例の排気装置断面図
【図５】  本発明第４の実施例の排気装置断面図
【図６】  本発明第５の実施例の生ごみ処理機外観図
【図７】  従来の生ごみ処理機断面図
【符号の説明】
２  生ごみ収納容器
４  加熱手段
１３  排出口
１５  排気ファン（ターボファン）
２６  冷却ファン（シロッコファン）
２７  シュラウド
２８  仕切り板
２９  ケース
【図１】
0003982271.tif 000002
【図２】
0003982271.tif 000003
【図３】
0003982271.tif 000004
【図４】
0003982271.tif 000005
【図５】
0003982271.tif 000006
【図６】
0003982271.tif 000007
【図７】
0003982271.tif 000008